(57)【要約】【課題】  Ａ型のダンボール箱用紙材を用いて容易に形成でき、製品を収容した状態のままスムーズに組み立て直して陳列用のケースとすることのできる陳列ケース兼用ダンボール箱を提供する。【解決手段】  正面板１３と側面板１４との間の稜線１５には、これの上端から所定の領域に亘って切離し誘導線１６が設けられており、正面板には、切離し誘導線１６の下端を連結するように第１正面折線１７が設けられていると共に、これの上方には第２正面折線が設けられている。側面板１４には、第１正面折線１７の端部から背面板１９との間の稜線２０の上端まで斜めに延設して第１側面折線２１が設けられている。側面板１４に連接する側面上方フラップ片１４ａの先端縁部には、係止保持片２３が設けられていると共に、背面板１９には、側面上方フラップ片１４ａが背面側に折り返された際に係止保持片２３が挿入係止される係止スリット２４が設けられている。【選択図】      図２
2005335789.tif 000002
【特許請求の範囲】
【請求項１】
Ａ型のダンボール箱用紙材を用いて形成される６面体形状の陳列ケース兼用ダンボール箱であって、
正面板と一対の側面板との間の稜線に上端から該稜線の６０〜９５％の領域に亘って切離し誘導線を備え、
前記正面板は、前記切離し誘導線の両下端の間に底辺と平行に延設する第１正面折線と、該第１正面折線の上方に該第１正面折線と前記底辺との間隔以上の間隔をおいて前記底辺と平行に延設する第２正面折線とを備え、
前記一対の側面板は、前記第１正面折線の端部から当該側面板と背面板との間の稜線上端まで斜めに延設する第１側面折線を各々備え、
且つ、前記各側面板に連接する側面上方フラップ片は、先端縁部に係止保持片を備え、前記背面板は、前記第１側面折線より上方の側面板及び前記側面上方フラップ片が背面側に折り返された際に、前記係止保持片が挿入係止される係止スリットを備える陳列ケース兼用ダンボール箱。
【請求項２】
Ａ型のダンボール箱用紙材を用いて形成される６面体形状の陳列ケース兼用ダンボール箱であって、
正面板と一対の側面板との間の稜線に上端から該稜線の６０％〜９５％の領域に亘って切離し誘導線を備え、
前記正面板は、前記切離し誘導線の両下端の間に底辺と平行に延設する第１正面折線と、該第１正面折線の上方に該第１正面折線と前記底辺との間隔以上の間隔をおいて前記底辺と平行に延設する第２正面折線とを備え、
前記一対の側面板は、前記第１正面折線の端部から当該側面板と背面板との間の稜線より上方に位置し、該側面板に連接する側面上方フラップ片の側縁部まで斜めに延設する第１側面折線を各々備え、
且つ、前記側面上方フラップ片は、前記第１側面折線の端部より先端域であって前記側縁部に沿った切り欠きを各々備えると共に、先端縁部に係止保持片を備え、
前記背面板は、前記第１側面折線より上方の側面板及び前記側面上方フラップ片が背面側に折り返された際に、前記係止保持片が挿入係止されるスリットを備える陳列ケース兼用ダンボール箱。
【請求項３】
前記側面上方フラップ片は、前記第１側面折線を介してこれの上方の側面板及び前記側面上方フラップ片が背面側に折り返された際に、前記側面板と前記背面板との間の稜線と重なる第２側面折線を備える請求項１又は２に記載の陳列ケース兼用ダンボール箱。
【請求項４】
前記切離し誘導線は、少なくとも前記第１正面折線と前記第２正面折線との間の部分に形成された全切れ線と、その上方部分に形成された破断線とによって構成されている請求項１〜３のいずれかに記載の陳列ケース兼用ダンボール箱。
【請求項５】
収容された製品を陳列する際に、前記切離し誘導線の部分で前記正面板と前記側面板との間の稜線を切り離して、前記第１正面折線を介して前記正面板の第１正面折線よりも上方部分及び前記正面板に連接する正面上方フラップ片を下方に折り返すと共に、前記第２正面折線を介して前記正面板の第２正面折線よりも上方部分及び前記正面上方フラップ片を後方に折り返して、これらを底面部の下方に配置し、
前記第１側面折線を介してこれの上方の側面板及び前記側面上方フラップ片を背面側に折り返すと共に、前記側面板と側面上方フラップ片との間の折線又は前記第２側面折線を介して前記側面上方フラップ片を前記側面板と前記背面板との間の稜線でさらに折り返すことにより、背面側に折り返した背面上方フラップ片を挟み込みつつ前記側面上方フラップ片を前記背面板に沿って配置して、これの先端縁部の前記係止保持片を前記背面板の前記係止スリットに挿入係止することにより陳列ケースとする請求項１〜４のいずれかに記載の陳列ケース兼用ダンボール箱。
【請求項６】
収容された製品を陳列する際に折り返される部分の箱の内面には、印刷が施されている請求項１〜５のいずれかに記載の陳列ケース兼用ダンボール箱。
【請求項７】
正面上方フラップ片及び正面下方フラップ片が横方向折線を介して連接する正面板と、側面上方フラップ片及び側面下方フラップ片が横方向折線を介して連接する一対の側面板と、背面上方フラップ片及び背面下方フラップ片が横方向折線を介して連接する背面板と、重合せ接合板とが、縦方向折線を介して一体として連接するＡ型のダンボール箱用紙材であって、
正面板と一対の側面板との間の縦方向折線には、これの上端から前記正面板の高さの６０〜９５％の高さ領域に亘って切離し誘導線が各々設けられており、
前記正面板には、両側の前記切離し誘導線の下端を連結するように底辺と平行に延設して、第１正面折線が設けられていると共に、該第１正面折線の上方には、前記底辺と前記第１正面折線との間隔以上の間隔をおいて、第２正面折線がこれらと平行に延設して設けられており、
前記側面板の各々には、前記第１正面折線の端部から当該側面板と背面板との稜線となる部分の上端又はこれの上方に位置する前記側面上方フラップ片の側縁部まで斜めに延設して、第１側面折線が設けられており、
前記側面上方フラップ片には、前記第１側面折線を介してこれの上方の側面板及び前記側面上方フラップ片が背面側に折り返された際に、前記側面板と前記背面板との稜線となる部分と重なる位置に沿って、第２側面折線が設けられており、
且つ、前記側面板の各々に連接する前記側面上方フラップ片の先端縁部には、係止保持片が設けられていると共に、前記背面板には、前記第１側面折線よりも上方の側面板及び前記側面上方フラップ片が背面側に折り返された際に、前記係止保持片が挿入係止される係止スリットが設けられているダンボール箱用紙材。
【請求項８】
前記側面下方フラップ片は、該側面下方フラップ片の先端縁部をつきあわせて略矩形状の底面を形成しうる請求項７記載のダンボール箱用紙材。
【発明の詳細な説明】
【技術分野】
【０００１】
本発明は、Ａ型のダンボール箱用紙材を用いて形成される陳列ケース兼用ダンボール箱、及びダンボール箱用紙材に関する。
【背景技術】
【０００２】
複数の製品を収容して搬送するための梱包用の包装箱として、ダンボール箱が多用されている。ダンボール箱は、６面体形状を有しており、搬送時に縦横に並べて整列配置することが容易であると共に、上下に積み重ねて配置することも容易であり、効率良く集積した状態で多数の製品を搬送可能とする。
【０００３】
また、ダンボール箱は、折線や切込み線を設けた一枚のダンボール板を立体形状となるように折り曲げ、必要箇所を接合して６面体形状に組み付けることによって形成されるものであり、ダンボール板としてＡ型のダンボール箱用紙材を用いることが、最も効率良くダンボール箱を形成できることが知られている。Ａ型のダンボール箱用紙材は、正面上方フラップ片及び正面下方フラップ片が横方向折線を介して連接する正面板と、側面上方フラップ片及び側面下方フラップ片が横方向折線を介して連接する一対の側面板と、背面上方フラップ片及び背面下方フラップ片が横方向折線を介して連接する背面板と、重合せ接合板とを、縦方向折線を介して一体として連接することによって形成されるダンボール板であり、各フラップ片、正面板、側面板、及び背面板がいずれも矩形形状に形成されると共に、その全体形状も略矩形に形成されることから、効率良く裁断することができると共に、その加工や組立作業も容易に行うことが可能になる。
【０００４】
一方、搬送時のみならず、陳列時にも使用できるダンボール箱が種々開発されており（例えば、特許文献１、特許文献２、特許文献３参照）、これらのダンボール箱によれば、製品を収容して搬送した後に、ダンボール箱に予め設けておいた折線や切込み線等を介して、上部を開放した陳列可能な状態に組み立て直し、陳列用のダンボール箱として使用できるようにするものである。
【特許文献１】実開昭５７−１８６３２０号公報
【特許文献２】実開昭５９−２６７２８号公報
【特許文献３】特開昭５９−２９８６４号公報
【発明の開示】
【発明が解決しようとする課題】
【０００５】
しかしながら、上記従来の陳列時にも使用できるダンボール箱によれば、特許文献１のダンボール箱は、一般的なＡ型のダンボール箱を用いて形成するものであるが、陳列用に組み立て直す際に収容された製品を取り出す必要を生じて、製品を取り出し再度収容する作業に手間がかかる。特許文献２のダンボール箱や特許文献３の展示兼用輸送箱は、製品を収容したまま陳列用に組み立て直すことも可能であるが、Ａ型のダンボール箱を用いて形成するものでなく、ダンボール板に特別な加工を施して形成し、搬送時におけるダンボール箱の構造が複雑であって、その取り扱いが却って煩雑になる。
【０００６】
本発明は、Ａ型のダンボール箱用紙材に簡易な加工を施すだけで容易に形成することができ、搬送時には一般的なダンボール箱と同様に取り扱うことができると共に、陳列時には製品を収容した状態のままスムーズに組み立て直して陳列用のケースとして容易に用いることのできる陳列ケース兼用ダンボール箱、及び該ダンボール箱を形成するためのダンボール箱用紙材を提供することを目的とする。
【課題を解決するための手段】
【０００７】
本発明の陳列ケース兼用ダンボール箱は、上記目的を達成するためになされたものであり、Ａ型のダンボール箱用紙材を用いて形成される６面体形状の陳列ケース兼用ダンボール箱であって、正面板と一対の側面板との間の稜線には、これの上端から前記正面板の高さの６０〜９５％の高さ領域に亘って切離し誘導線が各々設けられている。また前記正面板には、両側の前記切離し誘導線の下端を連結するように底辺と平行に延設して、第１正面折線が設けられていると共に、該第１正面折線の上方には、前記底辺と前記第１正面折線との間隔以上の間隔をおいて、第２正面折線がこれらと平行に延設して設けられている。さらに、前記側面板の各々には、前記第１正面折線の端部から当該側面板と背面板との間の稜線の上端まで斜めに延設して、第１側面折線が設けられている。さらにまた、前記側面板の各々に連接する側面上方フラップ片の先端縁部には、係止保持片が設けられていると共に、前記背面板には、前記第１側面折線よりも上方の側面板及び前記側面上方フラップ片が背面側に折り返された際に、前記係止保持片が挿入係止される係止スリットが設けられている。
【０００８】
また、本発明の本発明の陳列ケース兼用ダンボール箱は、Ａ型のダンボール箱用紙材を用いて形成される６面体形状の陳列ケース兼用ダンボール箱であって、正面板と一対の側面板との間の稜線に上端から該稜線の６０％〜９５％の領域に亘って切離し誘導線を備えている。また前記正面板は、前記切離し誘導線の両下端の間に底辺と平行に延設する第１正面折線と、該第１正面折線の上方に該第１正面折線と前記底辺との間隔以上の間隔をおいて前記底辺と平行に延設する第２正面折れ線とを備えている。さらに、前記一対の側面板は、前記第１正面折線の端部から当該側面板と背面板との間の稜線より上方に位置する、該側面板に連接する側面上方フラップ片の側縁部まで斜めに延設する第１側面折線を各々備えている。さらにまた、前記側面上方フラップ片は、前記第１側面折線の端部より先端域であって前記側縁部に沿った切り欠きを各々備えると共に、先端縁部に係止保持片を備え、前記背面板は、前記第１側面折線より上方の側面板及び前記側面上方フラップ片が背面側に折り返された際に、前記係止保持片が挿入係止されるスリットを備えている。
【０００９】
さらに、本発明のダンボール箱用紙材は、正面上方フラップ片及び正面下方フラップ片が横方向折線を介して連接する正面板と、側面上方フラップ片及び側面下方フラップ片が横方向折線を介して連接する一対の側面板と、背面上方フラップ片及び背面下方フラップ片が横方向折線を介して連接する背面板と、重合せ接合板とが、縦方向折線を介して一体として連接するＡ型のダンボール箱用紙材であって、正面板と一対の側面板との間の縦方向折線にこれの上端から該縦方向折線の６０〜９５％の領域に亘って切離し誘導線が各々設けられている。また前記正面板は、両側の前記切離し誘導線の両方の下端の間に底辺と平行に延設する第１正面折線を備え、該第１正面折線の上方に前記底辺と前記第１正面折線との間隔以上の間隔をおいて、第２正面折線が前記底片と平行に延設して設けられている。さらに、前記側面板の各々には、前記第１正面折線の端部から当該側面板と背面板との間の稜線となる部分の上端又はこれの上方に位置する前記側面上方フラップ片の側縁部まで斜めに延設して、第１側面折線が設けられており、前記側面上方フラップ片には、前記第１側面折線を介してこれの上方の側面板及び前記側面上方フラップ片が背面側に折り返された際に、前記側面板と前記背面板との間の稜線となる部分と重なる位置に沿って、第２側面折線が設けられている。さらにまた、前記側面板の各々に連接する前記側面上方フラップ片の先端縁部には、係止保持片が設けられていると共に、前記背面板には、前記第１側面折線よりも上方の側面板及び前記側面上方フラップ片が背面側に折り返された際に、前記係止保持片が挿入係止される係止スリットが設けられている。
【００１０】
ここで、Ａ型のダンボール箱用紙材は、例えばＪＩＳZ１５０７−１９８９の０２（溝切り形）によって規定されるダンボール箱用の紙材であって、上述のように、正面上方フラップ片及び正面下方フラップ片が横方向折線を介して連接する正面板と、側面上方フラップ片及び側面下方フラップ片が横方向折線を介して連接する一対の側面板と、背面上方フラップ片及び背面下方フラップ片が横方向折線を介して連接する背面板と、重合せ接合板とを、縦方向折線を介して一体として連接することによって形成されるダンボール板であり、また各フラップ片、正面板、側面板、及び背面板がいずれも矩形形状に形成されると共に、その全体形状も略矩形に形成されるダンボール板である。尚、Ａ型のダンボール箱用紙材は、正面上方フラップ片と背面上方フラップ片における正面及び背面に連接する辺と対向する辺をつきあわせることで略矩形の底面、及び／又は天面を形成するダンボール箱であれば、ダンボール箱の容積に対して使用するダンボール箱用紙材の面積が少なく好適である。
【００１１】
また、第１正面折線、第２正面折線、第１側面折線、第２側面折線、横方向折線、及び縦方向折線は、例えば所定の位置に沿ってダンボール箱用紙材に罫線を入れたり、半切れ線を設ける等によって形成され、これらの折線に沿ってダンボール板が容易に折れ曲がる折れ癖をつけた線状部分である。
【００１２】
さらに、切離し誘導線は、当該切離し誘導線に沿って例えばミシン目、半切れ線、ジッパー、全切れ線等を単独で又は組み合わせて設けることによって形成され、人の手の力で容易に破断させて当該切離し誘導線を挟んだ両側部分に切り離すことのできる程度の接合力で、両側部分のダンボール板を接続させている線状部分である。
【００１３】
さらにまた、正面板と側面板との間の稜線、或いは正面板と側面板との間の縦方向折線に設けられる切離し誘導線は、これらの上端から６０〜９５％の領域に亘って形成されている。切離し誘導線が形成される領域が上端から６０％よりも小さいと、商品が見えにくいという不具合が生じることになり、また切離し誘導線が形成される領域が上端から９５％よりも大きいと、商品が倒れやすくなるという不具合が生じることになる。
【発明の効果】
【００１４】
本発明の陳列ケース兼用ダンボール箱、及び該ダンボール箱を形成するためのダンボール箱用紙材によれば、Ａ型のダンボール箱用紙材に簡易な加工を施すだけで容易に形成することができ、搬送時には一般的なダンボール箱と同様に取り扱うことができると共に、陳列時には製品を収容した状態のままスムーズに組み立て直して陳列用のケースとして容易に用いることができる。
【発明を実施するための最良の形態】
【００１５】
図１（ａ）〜（ｃ）に示す本発明の好ましい一実施形態に係る陳列ケース兼用ダンボール箱１０は、製品として例えば整髪料等を封入した円筒形状の容器、具体的にはキャップ付きスプレー容器１１を、前後左右に整列させつつ立設配置した状態で複数梱包収容して、効率良く搬送することを可能にすると共に、搬送後は陳列用のケースとして使用して、収容された複数のスプレー容器１１をスムーズ且つ効果的に陳列できるようにするものである。
【００１６】
そして、本実施形態の陳列ケース兼用ダンボール箱１０は、Ａ型のダンボール箱用紙材１２（図４参照）を用いて形成される６面体形状のダンボール箱であって、正面板１３と一対の側面板１４との間の稜線１５には、これの上端から前記稜線１５、即ち、正面板１３の高さＨの６０〜９５％の領域に亘って切離し誘導線１６が各々設けられており、また正面板１３は、両側の切離し誘導線１６の両方の下端の間に正面板１３の底辺２２と平行に延設する第１正面折線１７が設けられていると共に、第１正面折線１７の上方に底辺２２と第１正面折線１７との間隔Ｓよりも大きな間隔をおいて、第２正面折線１８がこれらと平行に延設して設けられている。さらに、一対の側面板１４の各々には、第１正面折線１７の端部から当該側面板１４と背面板１９との稜線２０の上端まで斜めに延設して、第１側面折線２１が設けられている。さらにまた、側面板１４の各々に連接する側面上方フラップ片１４ａの先端縁部には、係止保持片２３が設けられていると共に、背面板１９には、第１側面折線２１よりも上方の側面板１４ｃ及び側面上方フラップ片１４ａが背面側に折り返された際に、係止保持片２３が挿入係止される係止スリット２４が設けられている。
【００１７】
また、本実施形態によれば、側面上方フラップ片１４ａには、第１側面折線２１を介してこれの上方の側面板１４ｃ及び側面上方フラップ片１４ａが背面側に折り返された際に（図２（ｂ）参照）、側面板１４と背面板１９との稜線２０と重なる位置に沿って第２側面折線２５が設けられている。
【００１８】
さらに、本実施形態によれば、切離し誘導線１６は、第１正面折線１７と第２正面折線１８との間の部分に形成された全切れ線１６ａと、これの上方部分に形成された例えばミシン目等による破断線１６ｂとによって構成されている。
【００１９】
そして、本実施形態の陳列ケース兼用ダンボール箱１０によれば、製品として例えば複数のスプレー容器１１を縦横に並べて収容して、一般のダンボール箱と同様の方法で６面体形状に梱包し、かかる梱包状態の６面体形状のダンボール箱１０を、縦横に並べて複数整列配置すると共に上下に複数段積み重ねて整列配置して、効率良く集積した状態で多数の製品を搬送可能とする。
【００２０】
また、本実施形態の陳列ケース兼用ダンボール箱１０によれば、搬送後に収容されたスプレー容器１１を陳列する際には、スプレー容器１１を収容した状態のまま、下記のように容易且つスムーズに組み立て直されて、陳列ケースとして使用されることになる。
【００２１】
すなわち、まず、図１（ａ），（ｂ）に示す６面体形状の梱包状態から、図１（ｃ）に示すように、上方フラップ片１３ａ，１４ａ，１９ａによって閉塞されていたダンボール箱１０の上面部３０を開放する。しかる後に、図２（ａ）に示すように、切離し誘導線１６の部分で、正面板１３と一対の側面板１４との稜線１５を各々切り離して、第１正面折線１７を介して正面板１３の第１正面折線１７よりも上方部分及び正面板１３に連接する正面上方フラップ片１３ａを下方に折り返すと共に、第２正面折線１８を介して正面板１３の第２正面折線１８よりも上方部分及び正面上方フラップ片１３ａを後方に折り返して、図２（ｂ）に示すように、これらを、下方フラップ片１３ｂ，１４ｂ，１９ｂ（図４参照）による底面部２６の下面に沿わせるようにして、当該底面部２６の下方に配置する。
【００２２】
さらに、第１側面折線２１を介してこれの上方の側面板１４ｃ及び側面上方フラップ片１４ａを背面側に折り返すと共に、第２側面折線２５を介して側面上方フラップ片１４ａを側面板１４と背面板１９との稜線２０でさらに折り返すことにより、図２（ｃ）及び図３に示すように、背面側に折り返した背面上方フラップ片１９ａを挟み込みつつ側面上方フラップ片１４ａを背面板１９に沿って配置して、これの先端縁部の係止保持片２３を背面板１９の係止スリット２４に挿入係止することにより、陳列ケースが形成されることになる。
【００２３】
ここで、係止保持片２３は、各側面上方フラップ片１４ａの先端縁部から内方に切り込むようにして一対の切り込み２７を形成することにより、これらの間に挟まれる、基端部分で折り曲げ可能な係止片として設けられる。また係止スリット２４は、背面板１９に縦長コの字形状の切り込み２８を形成することにより、当該切り込み２８によって囲まれる舌状部分を、内側に押し込み可能な形態のスリットとして設けられる。係止保持片２３を係止スリット２４に挿入係止することにより、ダンボール箱１０を陳列ケースとして組み立て直した後の形状を強固に保持して、安定した陳列ケースを形成することが可能になる。
【００２４】
また、正面板１３に形成される第２正面折線１８は、正面板１３の底辺２２と第１正面折線１７との間隔Ｓよりも大きな間隔をおいて、第１正面折線１７の上方に設けられているので（図１（ａ）参照）、当該第２正面折線１８を介して折り曲げ、当該第２正面折線１８よりも上方部分の正面板１３及び正面上方フラップ片１３ａを後方に折り返し、これらを底面部２６の下面に沿って容易に配置することが可能になる。また第１正面折線１７と第２正面折線１８との間の部分を表示板２９として斜めに配置させて（図２（ａ），（ｂ）参照）、表示機能を高めることにより、陳列ケースとしての機能を向上させることも可能になる。
【００２５】
さらに、本実施形態のダンボール箱１０によれば、少なくとも、陳列ケースとして使用される際に折り返される部分の内側面には、例えば着色等による印刷が施されていると共に、折り返される部分の内側面の適宜箇所には表示用の模様や文字３１が描かれている。これらによって、ダンボール箱１０を陳列ケースとして用いる際の優れた装飾効果や宣伝効果が得られることになると共に、これらの印刷や模様等が施された部分は、ダンボール箱１０による製品の搬送時等には箱の内側面に配置されることになって、陳列ケースとして用いられるまでの間、外的作用による傷や汚れから効果的に防護されることになる。
【００２６】
さらにまた、本実施形態のダンボール箱１０によれば、切離し誘導線１６は、第１正面折線１７と第２正面折線１８との間の部分に形成された全切れ線１６ａと、これの上方部分に形成された破断線１６ｂとによって構成されているので、陳列ケースとして使用される際に、表示板２９となる第１正面折線１７と第２正面折線１８との間の部分の側端面は、全切れ線１６ａによる凹凸のない平坦かつ真っ直ぐな面となり（図２（ａ），（ｂ）参照）、凹凸面となる破断線１６ｂによる側端面を底面部２６の下方に目立たないように配置して、陳列ケースとしての美感を向上させることが可能になる。
【００２７】
なお、本実施形態によれば、側面上方フラップ片１４ａに第２側面折線２５が設けられているが、第２側面折線２５を設ける必要は必ずしもなく、例えば第１側面折線２１が側面板１４と背面板１９との稜線２０に対して４５度の角度で延設して設けられている場合には、側面板１４と側面上方フラップ片１４ａとの横方向折線１４ｄを介して稜線２０で各側面上方フラップ片１４ａを背面側に折り返すことにより、当該側面上方フラップ片１４ａを背面板１９に沿って配置するようにしても良い。
【００２８】
また、製品であるキャップ付きスプレー容器１１を、ダンボール箱１０に収容して搬送するのに先立って、ダンボール箱１０の底面部２６の内側面に、例えば滑り止め用のシート材料を敷設したり、滑り止め剤を塗布すること等によって、当該底面部２６の内側面の摩擦係数がダンボール箱の紙材の摩擦係数よりも高くなるように滑り止め処理を施しておくこともできる。底面部２６の内側面に滑り止め処理を施しておくことにより、搬送時や陳列時にスプレー容器１１の底面が滑るのを防止して、各スプレー容器１１が正規の位置からずれたり回転したり、或いは配列乱れが生じたりするのを効果的に回避することが可能になり、例えばスプレー容器１１の正面位置をダンボール箱１０による陳列ケースの正面に合わせて配置した状態を保持して、展示効果や陳列効果を一層向上させることが可能になる。
【００２９】
なお、剛性のある容器を収容する場合には、ダンボール箱１０の天面と底面の内側に、収容された複数の容器１１の天面や底面に跨って接するこが可能な大きさ及び厚さを有するダンボール板、又はフィルム状の発泡材等を配置することによって、収容された容器１１の天面と底面を該ダンボール板等で挟持して、搬送時に収容された容器１１が正規の位置からずれたり回転したり、或いは配列乱れが生じる等を効果的に防止することができる。
【００３０】
さらに、陳列ケース兼用ダンボール箱１０として、搬送先の店舗等に設けられた展示棚や陳列棚等の大きさに合致したサイズのものを選定して用いることにより、当該ダンボール箱１０を用いた製品の展示や陳列をより効率良く行うことが可能になる。
【００３１】
そして、本実施形態によれば、上述のような構成を有する陳列ケース兼用ダンボール箱１０は、例えば図４に示すような、一般のＡ型のダンボール箱用紙材に簡易な改良を加えただけの安価なダンボール箱用紙材１２を用いて、容易に形成することができる。すなわち、図４に示すダンボール箱用紙材１２は、正面上方フラップ片１３ａ及び正面下方フラップ片１３ｂが横方向折線１３ｄを介して連接する正面板１３と、側面上方フラップ片１４ａ及び側面下方フラップ片１４ｂが横方向折線１４ｄを介して連接する一対の側面板１４と、背面上方フラップ片１９ａ及び背面下方フラップ片１９ｂが横方向折線１９ｄを介して連接する背面板１９と、重合せ接合板３４とが、縦方向折線３３ａ，３３ｂ，３３ｃ，３３ｄを介して一体として連接するＡ型のダンボール箱用紙材であって、正面板１３と一対の側面板１４との間の縦方向折線３３ａ，３３ｂには、これの上端から正面板１３の高さＨの６０〜９５％の領域に亘って、切離し誘導線１６が各々設けられている。
【００３２】
また、正面板１３には、両側の切離し誘導線１６の下端と下端との間に底辺２２と平行に延設して、第１正面折線１７が設けられていると共に、第１正面折線１７の上方には、底辺２２と第１正面折線１７との間隔Ｓよりも大きな間隔をおいて、第２正面折線１８がこれらと平行に延設して設けられている。また側面板１４の各々には、第１正面折線１７の端部から、当該側面板１４と背面板１９との稜線２０となる部分である縦方向折線３３ｃの上端、又は端部に配置される側面板１４ｅの端辺部の上端まで斜めに延設して、第１側面折線２１が設けられている。
【００３３】
さらに、側面上方フラップ片１４ａには、第１側面折線２１を介してこれの上方の側面板１４ｃ及び側面上方フラップ片１４ａが背面側に折り返された際に、側面板１４と背面板１９との間の稜線２０となる部分３３ｃ，１４ｅと重なる位置に沿って、第２側面折線２５が設けられており、且つ、一対の側面板１４の各々に連接する側面上方フラップ片１４ａの先端縁部には、係止保持片２３が設けられていると共に、背面板１９には、第１側面折線２１よりも上方の側面板１４ｃ及び側面上方フラップ片１４ａが背面側に折り返された際に、係止保持片２３が挿入係止される係止スリット２４が設けられている。
【００３４】
なお、本実施形態によれば、陳列ケース兼用ダンボール箱１０を形成するためのＡ型のダンボール箱用紙材として、図５に示すダンボール箱用紙材３２を用いることもできる。図５に示すダンボール箱用紙材３２は、図４に示すダンボール箱用紙材１２と略同様の構成を備える一方で、一対の側面下方フラップ片１４ｂ’は、各々、正面板１３の底辺２２の略１／２の長さＬで側面板１４に連接して設けられている。側面下方フラップ片１４ｂ’が正面板１３の底辺２２の略１／２の長さを有していることにより、一対の側面下方フラップ片１４ｂ’を内側に配置し、正面下方フラップ片１３ｂ及び背面下方フラップ片１９ｂを外側に配置しつつ、これらを重ね合わせてダンボール箱１０の底面部２６を形成する際に、一対の側面下方フラップ片１４ｂ’の先端縁部をつきあわせて略矩形状の底面を形成し、底面部２６の内側面が、隣接配置される一対の側面下方フラップ片１４ｂ’によって段差が解消された面となるので、製品であるスプレー容器１１を安定した状態で立設させて、搬送や陳列を行うことが可能になる。
【００３５】
そして、本実施形態の陳列ケース兼用ダンボール箱１０は、上述の構成のダンボール箱用紙材１２，３２を用い、例えば縦方向折線３３ａ，３３ｂ，３３ｃ，３３ｄを介して、正面板１３、一対の側面板１４、背面板１９、及び重合せ接合板３２を折り曲げると共に、重合せ接合板３４を端部の側面板１４の端縁部内側面に重ね合わせて接合することにより、角筒形状に形成した後、一対の側面下方フラップ片１４ｂ，１４ｂ’、正面下方フラップ片１３ｂ、及び背面下方フラップ片１９ｂを内側に折り込んで底面部２６を形成し、製品を収容した後に一対の側面上方フラップ片１４ａ、正面上方フラップ片１３ａ、及び背面上方フラップ片１９ａを内側に折り込んで上面部３０を形成することにより、一般のＡ型のダンボール箱用紙材を用いて形成されるダンボール箱と同様に、６面体形状に容易に形成されることになる。
【００３６】
したがって、本実施形態の陳列ケース兼用ダンボール箱１０及びダンボール箱用紙材１２，３２によれば、Ａ型のダンボール箱用紙材に簡易な加工を施すだけで容易に形成することができ、搬送時には一般的なダンボール箱と同様に取り扱うことができると共に、陳列時には製品であるスプレー容器１１を収容した状態のままスムーズに組み立て直して陳列用のケースとして容易に用いることができる。
【００３７】
図６は、本発明の他の実施形態に係るダンボール箱用紙材４０を示すものである。図６に示すダンボール箱用紙材４０によれば、図４に示すダンボール箱用紙材１２と略同様の構成を備える一方で、一対の側面板４１に設けられる第１側面折線４２は、各々、第１正面折線４３の端部から当該側面板４１と背面板４４との間の稜線となる部分４５の上端よりも上方に位置する側面上方フラップ片４６の側縁部４７まで、斜めに延設して形成されている。また、側面上方フラップ片４６は、第１側面折線４２の端部より先端域であって側縁部４７に沿って帯状に切り欠いて形成された切り欠き４８を各々備えている。
【００３８】
このようなダンボール箱用紙材４０によれば、上記実施形態の陳列ケース兼用ダンボール箱１０と同様に立体形状に組み立てられて、図７に示すような陳列ケース兼用ダンボール箱４９が形成される。図７の陳列ケース兼用ダンボール箱４９は、ダンボール箱用紙材４０の第１側面折線４２が側面上方フラップ片４６の側縁部４７まで斜めに延設していることにより、折り返された側面板４１が背面板４４の両側端部よりも上方に突出する三角形状の突起部５０を備えることになり、これによって陳列ケース兼用ダンボール箱４９の美感や意匠性を向上させている。また、側面上方フラップ片４６が側縁部４７に沿った切り欠き４８を備えていることにより、側面板４１に三角形状の突起部５０を突出形成した場合であっても、背面側に折り曲げられた側面上方フラップ片４６が背面板４４の上端から上方にはみ出るのを回避することが可能になる。
【００３９】
なお、本発明は、上記実施形態に限定されることなく種々の変更が可能である。例えば、本発明の陳列ケース兼用ダンボール箱は、上記実施形態のダンボール箱用紙材１２，３２，４０以外の形状のＡ型のダンボール箱用紙材を用いて形成することもでき、切離し誘導線は、全切れ線と破断線とによって構成することなく全部を破断線とすることもできる。また、係止保持片や係止スリットは、上記実施形態の形状のものに限定されることなく、その他の種々の形状に形成することもできる。
【００４０】
さらに、収容されて搬送されたり陳列される製品は、円筒形状の容器に限定されることなくその他の種々の製品を収容するダンボール箱として用いることができ、例えば図８に示すように、製品として詰替用の液体洗剤等を封入したスタンディングパウチ３５を搬送したり陳列する際に用いることもできる。またスタンディングパウチ３５等の圧縮荷重を支持できない製品を収容する場合には、例えば、図９、図１０（ａ）に示すように、ダンボール箱１０の内部に中仕切板３６，３７を取り付けて使用することもできる。これによって、整列配置された状態を容易に保持しながら製品の搬送等を行うことが可能になると共に、中仕切板３６，３７によって圧縮荷重を効果的に支持して、切離し誘導線を設けたことによる搬送時等におけるダンボール箱１０の強度の低下を、効果的に補うことが可能になる。
【００４１】
尚、図９又は図１０（ａ）に示す中仕切り板３６，３７は１枚のダンボール板から成形できることが好ましい。例えば、図１０（ａ）の中仕切り板３７は、図１０（ｂ）に示すような１枚の略矩形のダンボール板３８を用いて形成することができる。すなわち、ダンボール板３８は、短手方向の長さが、ダンボール箱１０の高さとほぼ同じ長さであって、長手方向に垂直に４つの折れ線又は半切れ線３８ａが平行に設けられて、５つの面３８ｂ，３８ｂ’，３８ｂ”を有している。そして、これらの折れ線又は半切れ線３８ａを同じ方向に折り曲げて、４つの面３８ｂ，３８ｂ”をダンボール箱１０の正面板１３、両側面板１４、背面板１９に沿って断面略矩形状に配置し、さらに、一端部の長さの長い面３８ｂ’を、正面板１３の一端から背面板１９の一端に（又は背面板１９の一端から正面板１３の一端に）向けて略矩形の底面部の対角線上に立設させてダンボール箱１０の内部に取り付けて使用する。なお、背面板１９に沿って配置される面３８ｂ”には、切り欠き３９が形成されていることにより、背面板１９に設けられた係止スリットに側面上方フラップ片の係止保持片を挿入係止する際のロック部逃げの機能を果たすことが可能になる。
【図面の簡単な説明】
【００４２】
【図１】本発明の好ましい一実施形態に係る陳列ケース兼用ダンボール箱の構成を説明する、（ａ）は正面側斜め上方から視た斜視図、（ｂ）は背面側斜め上方から視た斜視図、（ｃ）は上面部の開放時における正面側斜め上方から視た斜視図である。
【図２】（ａ）〜（ｃ）は、本発明の好ましい一実施形態に係る陳列ケース兼用ダンボール箱を組み立て直して陳列ケースを形成する状況を説明する、正面側斜め上方から視た斜視図である。
【図３】本発明の好ましい一実施形態に係る陳列ケース兼用ダンボール箱を陳列ケースとした際の背面側斜め上方から視た斜視図である。
【図４】本発明の好ましい一実施形態に係る陳列ケース兼用ダンボール箱を形成するためのダンボール箱用紙材を示す平面図である。
【図５】本発明の好ましい一実施形態に係る陳列ケース兼用ダンボール箱を形成するための他のダンボール箱用紙材を示す平面図である。
【図６】本発明の好ましい他の実施形態に係る陳列ケース兼用ダンボール箱を形成するためのダンボール箱用紙材を示す平面図である。
【図７】本発明の好ましい他の実施形態に係る陳列ケース兼用ダンボール箱を陳列ケースとした際の背面側斜め上方から視た斜視図である。
【図８】本発明の好ましい一実施形態に係る陳列ケース兼用ダンボール箱による陳列ケースに製品としてとしてスタンディングパウチを収容した際の正面側斜め上方から視た斜視図である。
【図９】本発明の好ましい一実施形態に係る陳列ケース兼用ダンボール箱にスタンディングパウチを収容して搬送する際の上面部を開放した状態の上面図である。
【図１０】（ａ）は本発明の好ましい一実施形態に係る陳列ケース専用ダンボール箱にスタンディングパウチを収容して搬送する際の上面部を開放した状態の上面図、（ｂ）は中仕切り板を形成するためのダンボール板を例示する正面図である。
【符号の説明】
【００４３】
１０，４９  陳列ケース兼用ダンボール箱
１１  スプレー容器（製品）
１２，３２，４０  ダンボール箱用紙材
１３  正面板
１３ａ  正面上方フラップ片
１３ｂ  正面下方フラップ片
１３ｄ，１４ｄ，１９ｄ  横方向折線
１４，４１  側面板
１４ａ，４６  側面上方フラップ片
１４ｂ，１４ｂ’  側面下方フラップ片
１４ｃ  第１側面折線の上方の側面板
１５  正面板と側面板との間の稜線
１６  切離し誘導線
１６ａ  全切れ線
１６ｂ  破断線
１７，４３  第１正面折線
１８  第２正面折線
１９，４４  背面板
１９ａ  背面上方フラップ片
１９ｂ  背面下方フラップ片
２０  側面板と背面板との間の稜線
２１，４２  第１側面折線
２２  正面板の底辺
２３  係止保持片
２４  係止スリット
２５  第２側面折線
２６  底面部
２９  表示板
３０  上面部
３１  表示用の模様や文字
３３ａ，３３ｂ，３３ｃ，３３ｄ  縦方向折線
３４  重合せ接合板
３５  スタンディングパウチ（製品）
３６，３７  中仕切板
４５  側面板と背面板との間の稜線となる部分
４７  側面上方フラップ片の側縁部
４８  切り欠き
５０  三角形状の突起部
Ｈ  正面板の高さ
Ｓ  正面板の底辺と第１正面折線との間隔
【図１】
2005335789.tif 000003
【図２】
2005335789.tif 000004
【図３】
2005335789.tif 000005
【図４】
2005335789.tif 000006
【図５】
2005335789.tif 000007
【図６】
2005335789.tif 000008
【図７】
2005335789.tif 000009
【図８】
2005335789.tif 000010
【図９】
2005335789.tif 000011
【図１０】
2005335789.tif 000012